(57)【要約】【課題】  着信時に、応答できないことを容易に発信者に伝えることができる携帯端末装置を提供する。【解決手段】  着信があった後、携帯電話機に内蔵されている加速度センサが、ユーザが歩行しているときに出現する加速度とは異なる態様の加速度を検出した場合に、自動的に保留状態になって、相手端末に対して、ユーザが応答できない旨の信号を送信する。従って、ユーザは、歩行中であるか否かに関わらず、携帯電話機を１回振るだけで、相手端末に、応答できないことを知らせることができる。【選択図】  図３
2005167651.tif 000002
【特許請求の範囲】
【請求項１】
無線通信ネットワークを介して他の通信端末と接続される携帯端末装置において、
加速度を検出して加速度の大きさを示す加速度信号を出力する加速度検出手段と、
着信があった後、前記加速度検出手段から出力される加速度信号が、所定のしきい値以下の加速度が周期的に出現していることを示している状態で、前記加速度信号が、前記所定のしきい値よりも大きい加速度が発生したことを示すと、携帯端末装置のユーザが応答できないことを示す信号を発信元の通信端末に送信する制御手段とを備えた
ことを特徴とする携帯端末装置。
【請求項２】
制御手段は、着信があった後、加速度が所定値以下である期間が所定時間継続した後に、加速度信号が、所定の判定値よりも大きい加速度が発生したことを示すと、携帯端末装置のユーザが応答できないことを示す信号を発信元の通信端末に送信する
請求項１記載の携帯端末装置。
【請求項３】
制御手段は、着信があると、加速度信号の監視を開始する
請求項１または請求項２記載の携帯端末装置。
【請求項４】
着信があると、携帯端末装置のユーザに着信を知らせる着信報知手段を備え、
制御手段は、携帯端末装置のユーザが応答できないことを示す信号を発信元の通信端末に送信する際に、前記着信報知手段の動作を停止させる
請求項１から請求項３のうちのいずれか１項に記載の携帯端末装置。
【請求項５】
着信報知手段は、音または振動によって携帯端末装置のユーザに着信を知らせ、
制御手段は、着信があった後、加速度信号が、所定のしきい値以下の加速度が周期的に出現していることを示している場合に、前記着信報知手段が発生する音または振動の大きさを大きくさせる
請求項４記載の携帯端末装置。
【請求項６】
携帯端末装置のユーザが応答できないことを示す信号は、所定のメッセージ、所定の音、または前記所定のメッセージおよび前記所定の音である
請求項１から請求項５のうちのいずれか１項に記載の携帯端末装置。
【請求項７】
制御手段は、携帯端末装置のユーザが応答できないことを示す信号を発信元の通信端末に送信した後、発信元の通信端末との間の回線を切断する
請求項１から請求項６のうちのいずれか１項に記載の携帯端末装置。
【請求項８】
通信相手の音声を記憶する記憶手段を備え、
制御手段は、携帯端末装置のユーザが応答できないことを示す信号の送信を開始してからあらかじめ決められた時間内に、加速度信号が、あらかじめ決められた値よりも大きい加速度が発生したことを示した場合には、そのような加速度が発生した後に発信元の通信端末から受信した音声データを前記記憶手段に記憶させる
請求項１から請求項７のうちのいずれか１項に記載の携帯端末装置。
【請求項９】
通信相手の音声を記憶する記憶手段を備え、
制御手段は、携帯端末装置のユーザが応答できないことを示す信号の送信を開始してからあらかじめ決められた時間内に、加速度信号が、あらかじめ決められた値よりも大きい加速度が発生したことを示した場合には、次回の着信から、発信元の通信端末から受信した音声データを前記記憶手段に記憶させる
請求項１から請求項７のうちのいずれか１項に記載の携帯端末装置。
【請求項１０】
無線通信ネットワークを介して他の通信端末と接続される携帯端末装置の制御方法であって、
着信があると、携帯端末装置に与えられる振動の検出を開始し、
所定のしきい値以下の大きさの振動が携帯端末装置に周期的に出現している状態で、前記所定のしきい値よりも大きい振動が発生したことを検出すると、携帯端末装置のユーザが応答できないことを示す信号を発信元の通信端末に送信する
ことを特徴とする携帯端末制御方法。
【請求項１１】
振動の大きさが所定値以下である期間が所定時間継続した後に、所定の判定値よりも大きい振動が発生したことを検出すると、携帯端末装置のユーザが応答できないことを示す信号を発信元の通信端末に送信する
請求項１０記載の携帯端末制御方法。
【発明の詳細な説明】
【技術分野】
【０００１】
本発明は、携帯端末装置および携帯端末制御方法に関し、特に、着信時に、ユーザが通話することができない状態にあることを、容易に、発信者に知らせることができる携帯端末装置および携帯端末制御方法に関する。
【背景技術】
【０００２】
通勤電車等の混雑した電車内で、かばんの中にある携帯電話機や通信機能を有するＰＤＡ等の携帯端末装置が着信し、着信報知のために鳴動することがある。その場合に、ユーザは、携帯端末装置の鳴動を停止させたいときには、手でかばんの中の携帯電話機を探り、探り当てた携帯端末装置の鳴動停止等のボタンを押す必要がある。しかし、ユーザが、探り当てた携帯端末装置のボタンを押し間違えて、例えば着信のボタンを押してしまうと、携帯電話機は応答状態となってしまう。その場合、ユーザは、電話に出られない旨を通話によって発信者に伝えなければならない。
【０００３】
加速度センサを備えた携帯端末装置がある。そのような携帯端末装置は、着信時にユーザが携帯端末装置を振ったことに起因する加速度を加速度センサが検出すると、着信音の鳴動を停止させる（例えば、特許文献１参照。）。特許文献１に記載されている技術を用いると、ユーザは、携帯端末装置を振るだけで着信音の鳴動を停止させることができる。
【０００４】
また、着信時に、あらかじめ記憶させたメッセージを発信者に送信するボタンを備え、着信時にそのボタンを操作することにより、着信時のユーザの状況に応じたメッセージを発信者に送信する携帯電話装置がある（例えば、特許文献２参照。）。
【０００５】
【特許文献１】特開２００２−３５４０９７号公報（第３−６頁、第４図）
【特許文献２】特開平１０−２４３０８６号公報（第５−９頁、第３図）
【発明の開示】
【発明が解決しようとする課題】
【０００６】
しかし、特許文献１に記載されている携帯端末装置において、加速度センサはユーザが歩行しているような状態でも加速度を検出する。従って、携帯端末装置を振るだけで着信音の鳴動を停止させるように構成した場合に、ユーザが歩行しているときに、誤って着信音の鳴動を停止させてしまう可能性がある。また、特許文献１に記載されている発明は着信側における着信鳴動を止めることを目的としているので、発信側の通信端末では、呼び出し音が鳴り続ける。従って、発信者は、着信側のユーザが応答しない理由がわからず、再発信を繰り返す可能性がある。
【０００７】
特許文献２に記載されている携帯電話装置は、着信側のユーザが応答しない理由を発信者に伝えることができる。しかし、着信側のユーザが電話装置のボタンを押し間違えると、着信時のユーザの状況にそぐわないメッセージを発信者に送信してしまうという問題がある。
【０００８】
そこで、本発明は、着信時に、応答できないことを、容易に、かつ正確に発信者に伝えることができる携帯端末装置および携帯端末制御方法を提供することを目的とする。
【課題を解決するための手段】
【０００９】
本発明による携帯端末装置は、着信があった後、加速度検出手段から出力される加速度信号が、所定のしきい値以下の加速度が周期的に出現していることを示している状態で、加速度信号が、所定のしきい値よりも大きい加速度が発生したことを示すと、携帯端末装置のユーザが応答できないことを示す信号を発信元の通信端末に送信する制御手段とを備えたことを特徴とする。
【００１０】
制御手段が、着信があった後、加速度が所定値以下である（０でもよい。）期間が所定時間継続した後に、加速度信号が、所定の判定値よりも大きい加速度が発生したことを示すと、携帯端末装置のユーザが応答できないことを示す信号を発信元の通信端末に送信するように構成されていてもよい。そのような構成によれば、ユーザが動いていない場合に携帯端末装置に振動が与えられたことを容易に検出できる。
【００１１】
制御手段は、例えば、着信があると加速度信号の監視を開始する。そのように構成されている場合には、着信がないときに、加速度検出手段を他の用途に使用することができる。
【００１２】
着信があると携帯端末装置のユーザに着信を知らせる着信報知手段を備え、制御手段が、携帯端末装置のユーザが応答できないことを示す信号を発信元の通信端末に送信する際に、着信報知手段の動作を停止させるように構成されていてもよい。そのような構成によれば、ユーザが携帯端末装置を１回振るだけで着信報知のための音等を停止させることができる。
【００１３】
着信報知手段が、音または振動によって携帯端末装置のユーザに着信を知らせ、制御手段が、着信があった後、加速度信号が、所定のしきい値以下の加速度が周期的に出現していることを示している場合に、着信報知手段が発生する音または振動の大きさを大きくさせるように構成されていてもよい。そのような構成によれば、歩行に集中しているユーザに対して、より効果的に着信報知を行うことができる。
【００１４】
携帯端末装置のユーザが応答できないことを示す信号は、例えば、所定のメッセージ、所定の音、または所定のメッセージおよび所定の音である。
【００１５】
制御手段が、携帯端末装置のユーザが応答できないことを示す信号を発信元の通信端末に送信した後、発信元の通信端末との間の回線を切断するように構成されていてもよい。そのような構成によれば、ユーザが携帯端末装置を１回振るだけで、自動的に、応答不能の通知が発信元に対してなされた後に、自動的に回線が切断される。
【００１６】
制御手段が、携帯端末装置のユーザが応答できないことを示す信号の送信を開始してからあらかじめ決められた時間内に、加速度信号が、あらかじめ決められた値よりも大きい加速度が発生したことを示した場合には、そのような加速度が発生した後に発信元の通信端末から受信した音声データを記憶手段に記憶させるように構成されていてもよい。そのような構成によれば、ユーザが携帯端末装置を１回振るだけで、自動的に、留守番電話動作を開始させることができる。
【００１７】
制御手段が、携帯端末装置のユーザが応答できないことを示す信号の送信を開始してからあらかじめ決められた時間内に、加速度信号が、あらかじめ決められた値よりも大きい加速度が発生したことを示した場合には、次回の着信から、発信元の通信端末から受信した音声データを記憶手段に記憶させるように構成されていてもよい。そのような構成によれば、ユーザが携帯端末装置を１回振るだけで、次回の着信時から、ユーザが何らの操作を行うことなく留守番電話動作を開始させることができる。
【００１８】
本発明による携帯端末制御方法は、着信があると、携帯端末装置に与えられる振動の検出を開始し、所定のしきい値以下の大きさの振動が携帯端末装置に周期的に出現している状態で、所定のしきい値よりも大きい振動が発生したことを検出すると、携帯端末装置のユーザが応答できないことを示す信号を発信元の通信端末に送信することを特徴とする。
【００１９】
携帯端末制御方法は、振動の大きさが所定値以下である（０でもよい。）期間が所定時間継続した後に、所定の判定値よりも大きい振動が発生したことを検出すると、携帯端末装置のユーザが応答できないことを示す信号を発信元の通信端末に送信するように構成されていてもよい。
【発明の効果】
【００２０】
本発明によれば、ユーザが歩行等の運動状態にあるか否かに関わらず、携帯端末装置本体を探したり所定のボタンを押したりすることなく、ユーザが携帯端末装置を１回振るという簡単な操作を行うだけで、応答できないことを発信者に伝えることができる。
【発明を実施するための最良の形態】
【００２１】
実施の形態１．
以下、本発明の実施の形態を図面を参照して説明する。図１は、本発明による携帯端末装置の実施の一形態を、無線通信ネットワーク３および他の通信端末２とともに模式的に示すブロック図である。携帯端末装置は、携帯電話機や通信機能を有するＰＤＡ等の携帯型の通信端末である。以下、携帯端末装置として携帯電話機１を使用する場合を例にする。
【００２２】
携帯電話機１は、着信があったことを音声または振動でユーザに通知する鳴動・振動部（着信報知手段）１１と、携帯電話機１の加速度を検出する加速度センサ（加速度検出手段）１２と、携帯電話機１全体を制御する制御部（制御手段）１３とを含む。加速度センサは、３軸（Ｘ軸、Ｙ軸、Ｚ軸）方向の加速度を検出するものであることが好ましい。加速度センサが３軸方向の加速度を検出するものであれば、ユーザが携帯電話機１をいずれの方向に振っても、加速度センサから有意な（加速度が０でないこと）信号が出力される。
【００２３】
携帯電話機１と通信端末２とは、無線通信ネットワーク３としての携帯電話通信網によって通信可能に接続されている。通信端末２は、例えば携帯電話機であり、音声を出力するスピーカ２１を備える。携帯電話機１は、無線通信ネットワーク３と有線公衆電話網（図示せず）またはＩＰ電話網（図示せず）とを介して、私用固定電話機や公衆電話機等の有線電話機と通信することもできる。すなわち、通信端末２は、私用固定電話機や公衆電話機であってもよい。
【００２４】
なお、加速度センサ１２を、例えば、携帯電話機１に組み込まれている歩数計アプリケーションソフトウェアやゲームアプリケーションソフトウェア等に対して所定の信号を入力する入力手段として用いてもよい。それらのアプリケーションソフトウェアは、加速度センサ１２が所定値以上の加速度を検出した回数に応じて歩数を計測したり、振動を入力指示として認識したりする。
【００２５】
図２は、携帯電話機１の具体的な構成例を示すブロック図である。図２に示すように、制御部１３は、Ａ−Ｄ変換器１４を介して加速度センサ１２の出力をディジタル信号として入力する。制御部１３は、ＣＰＵ（図示せず）およびプログラムが格納されたＲＯＭ（図示せず）等を有する。また、携帯電話機１は、無線信号を電波としてアンテナ（図示せず）を介して送出するとともにアンテナを介して無線信号を受信する無線部１５、テンキーや機能キーを含む操作部１６、ＬＣＤ等の表示部１７、音声を入力するマイクロフォン１８、音声および着信音を出力するスピーカ１９、および着信音に代えて用いられる振動を発生するバイブレータ２０を含む。
【００２６】
なお、図１に示された鳴動・振動部１１は、図２に示された具体的な構成例におけるスピーカ１９およびバイブレータ２０に相当する。また、本実施の形態では、音声と着信音とはともにスピーカ１９から出力されるが、音声を出力するためのスピーカと、着信音を出力するための音出力手段とが別に設けられていてもよい。また、操作部１６および表示部１７は、携帯電話機１の表面に備えられるものである。
【００２７】
次に、本実施の形態の動作について説明する。図３は、本実施の形態の携帯端末装置の動作を示すフローチャートである。
【００２８】
携帯電話機１が待ち受け状態である場合（ステップＳ１０１）、加速度センサ１２は、加速度の検出を停止している。具体的には、制御部１３は、加速度センサ１２が出力する信号を監視しない。すなわち、加速度センサ１２が出力する信号を、着信音停止または振動停止のために使用しない。なお、着信音および着信をユーザに知らせるための振動を着信報知という。以下、着信音停止または振動停止のためにユーザが携帯電話機１を振ることを、着信報知の停止操作ということがある。
【００２９】
制御部１３は、携帯電話機１が例えば通信端末２から着信したことを検出すると、鳴動・振動部１１としてのスピーカ１９から着信音を出力させて、着信があったことをユーザに通知する（ステップＳ１０２、Ｓ１０３）。着信音として、音声やメロディを用いることもできる。着信音に代えて振動を用いる設定がなされている場合には、制御部１３は、鳴動・振動部１１としてのバイブレータ２０を振動させて、着信があったことをユーザに通知する。
【００３０】
また、制御部１３は、着信があると、加速度センサ１２に加速度の検出を開始させる。具体的には、制御部１３は、加速度センサ１２が出力する加速度の大きさを示す信号を監視する状態になる（ステップＳ１０４）。加速度センサ１２は、加速度の大きさに応じた振幅のアナログ信号（加速度信号）を出力する。アナログ信号はＡ−Ｄ変換器１４でディジタル信号に変換される。よって、加速度の大きさに応じた数値のディジタル信号が制御部１３に出力される。
【００３１】
図４は、加速度センサ１２が出力する加速度信号の一出力例を示す説明図である。制御部１３は、加速度センサ１２の出力である加速度信号にもとづいてユーザが歩行等の運動状態（以下、歩行中または歩行状態という。）であるか否か判断する。制御部１３は、図４に破線で示すように、加速度信号が、所定値（０でもよい。）よりも大きく所定のしきい値Ｘ以下の加速度が周期的に出現していることを示している状態では、ユーザが歩行中であると判断する。より具体的には、制御部１３は、所定値よりも大きく所定のしきい値Ｘ以下の加速度が２回現れた場合に、ユーザが歩行中であるか否か監視する状態になり、その後、所定値よりも大きく所定のしきい値以下の加速度が周期的に現れている状態では、ユーザが歩行中であると判断する。
【００３２】
なお、所定のしきい値Ｘは、一般に人間が携帯電話機１を手に持った状態またはかばん等に収納した状態で歩行しているときに加速度信号が示す加速度よりも大きい値であり、人間が携帯電話機１を振ったときに一般的に現れる加速度よりも小さい値である。また、「周期的に出現」という表現における周期は、厳密に一定周期でなくてもよく、一般に人間が携帯電話機１を手に持って、またはかばん等に収納して歩行しているときに生ずる程度の誤差は許容される。また、上記の所定値は、０であってもよいが、振動する車両等に携帯電話機１が搭載されている場合に、その振動によってユーザが歩行中であると誤検出しないように、０でない値に設定されていてもよい。
【００３３】
従って、制御部１３は、加速度信号が０である加速度を示す状態が所定時間以上継続しているか、または、０でない加速度を示しているが所定値よりも小さい加速度を示す状態が所定時間以上継続している場合には、ユーザが歩行中ではないと判断する。また、所定値よりも大きい加速度が生じている場合でも、そのような大きさの加速度が周期的に現れているわけでない場合にも、ユーザが歩行中ではないと判断する。制御部１３は、ユーザが歩行中ではないと判断した場合には、ユーザが着信に応答するための操作を実行するか、または、ユーザが着信報知の停止操作を実行するまで、加速度信号の監視を続行する（ステップＳ１０５、Ｓ１０６）。なお、ユーザが、着信ボタンを押下するなど応答のための操作を行った場合には、制御部１３は、スピーカ１９からの着信音を停止させたりバイブレータ２０の振動を停止させる。また、加速度信号の監視を止める。そして、携帯電話機１の状態を通話状態に移行させる（ステップＳ１０７）。
【００３４】
ユーザが携帯電話機１を振ると、加速度信号は比較的大きな値を示す。制御部１３は、ユーザが歩行中でないと判断している場合に、加速度信号が判定値Ｙよりも大きな値を示すと、ユーザが携帯電話機１を振ったと判断する。その場合には、制御部１３は、着信報知を停止させ、回線を一旦捕捉して、携帯電話機１を保留状態に移行させる（ステップＳ１０８）。保留状態では、制御部１３は、あらかじめ設定されている保留音に応じた信号、またはあらかじめ設定されている保留メッセージに応じた信号を無線部１５を介して通信端末２に送信する。保留音に応じた信号または保留メッセージに応じた信号の送信が完了すると、制御部１３は、回線を切断し（ステップＳ１０９）、また、加速度信号の監視を終了する（ステップＳ１１０）。そして、待ち受け状態に戻る。
【００３５】
通信端末２は、保留音に応じた信号を受信すると、スピーカ２１から保留音を出力する。また、保留メッセージに応じた信号を受信すると、スピーカ２１から保留メッセージを出力する。保留音または保留メッセージよって、通信端末２のユーザすなわち発信者は、携帯電話機１のユーザが、応答できないことを認識できる。なお、携帯電話機１の制御部１３は、保留音に応じた信号と保留メッセージに応じた信号とをともに送信してもよい。
【００３６】
実施の形態２．
次に、第２の実施の形態について説明する。この実施の形態の携帯電話機１の構成は図１に示す第１の実施の形態の構成と同じであり、携帯電話機１の動作は、図３のフローチャートによって説明される。
【００３７】
図５は、加速度センサ１２が出力する加速度信号の他の出力例を示す説明図である。加速度センサ１２の出力が、周期的に、所定値（０でもよい。）よりも大きく所定のしきい値以下の大きさを呈している場合（例えば、図５にＡで示したような信号が出力されている場合）には、制御部１３は、携帯電話機１のユーザが歩行状態にあると判断する。その状態で、所定値よりも大きい加速度の出現周期に応じたタイミングとは異なるタイミングで、所定のしきい値よりも大きい加速度信号が現れたときに（図５にＢで示すタイミング）、制御部１３は、ユーザが歩行中に携帯電話機１を振ったと判断する。制御部１３は、そのような判断を行った場合にも、着信報知を停止させ、回線接続して呼を一旦確立した後、携帯電話機１を保留状態に移行させる（ステップＳ１０７）。その後、携帯電話機１は、第１の実施の形態の場合と同様に制御される。
【００３８】
なお、ユーザが歩行状態にあるか否かを判定するためにしきい値と、ユーザが歩行中に携帯電話機１を振ったと判定するためのしきい値とは、異なる値であってもよい。
【００３９】
以上のように、制御部１３は、加速度信号が、有意な加速度が周期的に出現していることを示している状態で、その周期が崩れたことを検出すると、着信報知手段としてのスピーカ１９やバイブレータ２０の動作を停止させる。また、携帯端末装置のユーザが応答できないことを示す信号を発信元の通信端末２に送信する。具体的には、加速度信号が、所定のしきい値以下の加速度が周期的に出現していることを示している状態において、加速度信号が、所定のしきい値よりも大きい加速度が発生したことを示すと、着信報知手段の動作を停止させるとともに、携帯端末装置１のユーザが応答できないことを示す信号を通信端末２に送信する。
【００４０】
なお、制御部１３は、ユーザが歩行状態にあると判断している状態では、携帯電話機１が着信中であることをユーザがよりわかりやすくなるように、スピーカ１９から出力させる音声の音量を大きくさせてもよい。また、着信音に代えて振動を用いる設定がなされている場合には、制御部１３は、バイブレータ２０の振動を大きくするように制御してもよい。
【００４１】
実施の形態３．
次に、第３の実施の形態について説明する。この実施の形態の携帯電話機１の構成は図１に示す第１の実施の形態の構成と同じであり、携帯電話機１の動作は、図３のフローチャートによって説明される。
【００４２】
図６は、加速度センサ１２が出力する加速度信号のさらに他の出力例を示す説明図である。制御部１３は、着信があった後、図６にＣで示すように所定値（０でもよい。）よりも大きく所定のしきい値Ｘ以下の加速度が周期的に出現している場合には、上述したように、ユーザが歩行状態にあるとと判断する。その場合には、ユーザが着信に応答するための操作を実行するか、または、ユーザが着信報知の停止操作を実行するまで、加速度信号の監視を続行する（ステップＳ１０５、Ｓ１０６）。
【００４３】
その状態で、加速度が所定値以下である期間が所定期間継続した場合には、制御部１３は、ユーザが歩行を停止したと判断する。この場合、所定期間は、図６におけるＣの区間における周期的に現れる有意な信号の１周期分以上の期間である。その後、第１の実施の形態の場合と同様に、加速度信号が判定値Ｙよりも大きな値を示すと、制御部１３は、ユーザが携帯電話機１を振ったと判断する。その場合には、制御部１３は、着信報知を停止させ、呼を一旦確立した後、携帯電話機１を保留状態に移行させる（ステップＳ１０７）。その後、携帯電話機１は、第１の実施の形態の場合と同様に制御される。
【００４４】
以上のように、本実施の形態では、制御部１３は、着信があった後、加速度が所定値以下である期間が所定時間継続した後に、加速度信号が、所定の判定値よりも大きい加速度が発生したことを示すと、着信報知手段の動作を停止させ、携帯端末装置１のユーザが応答できないことを示す信号を発信元の通信端末２に送信する。
【００４５】
実施の形態４．
制御部１３は、発信元の通信端末２から受信した音声を記憶することが可能なＲＡＭやフラッシュＲＯＭなどの書き換え可能な記憶部（記憶手段）を有している。制御部１３は、そのような記憶部を利用して、保留音に応じた信号または保留メッセージに応じた信号の無線端末２への送信を開始してからあらかじめ決められた時間内に、ユーザが携帯電話機１を振った場合に、通信端末２が送信した音声を記憶部に記憶させる留守番電話動作を行ってもよい。
【００４６】
図７は、留守番電話動作を示すフローチャートである。第１〜第３の実施の形態に示されたような保留動作を開始した後、所定の時間内に、加速度信号があらかじめ決められている値（例えば、第１および第３の実施の形態における判定値Ｙ、または第２の実施の形態におけるしきい値Ｘと同じ値）よりも大きい加速度を示すと（ステップＳ２０１）、制御部１３は、保留動作を終了させる（ステップＳ２０３）。すなわち、保留音または保留メッセージの送信を中断する。そして、あらかじめ決められているメッセージ（ユーザが不在である旨を通知するメッセージ）を無線部１５を介して通信端末２に送信する（ステップＳ２０４）。通信端末２は、そのよううなメッセージをスピーカ２１から出力する。発信者は、そのようなメッセージを聞くことによって、用件についての音声を携帯電話機１に送信可能であることを知る。
【００４７】
なお、制御部１３は、所定の時間内に、加速度センサ１２があらかじめ設定された値以上の加速度を示す加速度信号を出力しない場合は、ステップＳ１０９に移行する（ステップＳ２０２）。
【００４８】
携帯電話機１において、制御部１３は、ユーザが不在である旨を通知するメッセージを送信した後に通信端末２から受信した音声のデータを記憶部に記憶する（ステップＳ２０５）。その後、ステップＳ１０９の処理に移行する。
【００４９】
なお、ユーザは、携帯電話機１の操作部１６を操作して、制御部１３に留守番電話動作を行わせるか否か設定することができる。留守番電話動作を行わせない設定がなされている場合には、制御部１３は、図７に示す処理を実行しない。
【００５０】
また、ここでは、保留状態においてユーザが携帯電話機１を１回振ると直ちに留守番電話動作が実行されたが、保留状態においてユーザが携帯電話機１を１回振ると、次回の着信から留守番電話動作が実行されるようにしてもよい。その場合には、制御部１３は、ユーザが携帯電話機１を振ったことを加速度信号によって検出すると、保留動作を終了して回線を切断する。そして、内部状態を、自動的に留守番電話動作状態にする。その状態で、例えば通信端末２から着信があると、制御部１３は、着信音または振動による着信報知を行わず、ユーザが不在である旨を通知するメッセージを通信端末２に送信する。そして、通信端末２から受信した音声のデータを記憶部に記憶する。
【００５１】
以上述べたように、上記の各実施の形態では、着信があると、制御部１３が、加速度センサ１２の出力である加速度信号の監視を開始し、加速度信号を用いてユーザが歩行中であるか否か判断する。そして、ユーザが歩行中であれば、歩行にもとづいて発生する加速度の周期を崩すような加速度が発生すると、ユーザが携帯電話機１を振ったと判断する。また、ユーザが歩行中でなければ、所定の判定値以上の大きさの加速度が１回発生したら、ユーザが携帯電話機１を振ったと判断する。よって、制御部１３は、ユーザが歩行中であるか否かに関わらず、ユーザが携帯電話機１を１回振ると、上述した保留動作を行うことができる。
【００５２】
なお、携帯電話機１に内蔵されている加速度センサ１２は、携帯電話機１が振られたか否か、すなわち携帯電話機１に振動が与えられたか否かを検出するための手段である。従って、上記の各実施の形態では、携帯電話機１において所定のしきい値以下の大きさの振動が周期的に出現している状態で、所定のしきい値よりも大きい振動が発生したことを検出すると、携帯電話機１のユーザが応答できないことを示す信号を発信元の通信端末２に送信する携帯端末制御方法が用いられていることになる。また、振動の大きさが所定値以下である期間が所定時間継続した後に、所定の判定値よりも大きい振動が発生したことを検出すると、携帯電話機１のユーザが応答できないことを示す信号を発信元の通信端末２に送信する携帯端末制御方法が用いられていることになる。
【産業上の利用可能性】
【００５３】
本発明は、携帯電話機等の通信機能を備えた携帯端末装置において有効に活用される。特に、携帯端末装置の操作性を向上させるために活用される。
【図面の簡単な説明】
【００５４】
【図１】本発明による携帯端末装置の実施の一形態を、無線通信ネットワークおよび他の通信端末とともに示すブロック図である。
【図２】携帯電話機の具体的な構成例を示すブロック図である。
【図３】本発明による携帯端末装置の動作を示すフローチャートである。
【図４】加速度信号の一出力例を示す説明図である。
【図５】加速度信号の他の出力例を示す説明図である。
【図６】加速度信号のさらに他の出力例を示す説明図である。
【図７】留守番電話動作を示すフローチャートである。
【符号の説明】
【００５５】
１  携帯電話機
２  通信端末
３  無線通信ネットワーク
１１  鳴動・振動部
１２  加速度センサ
１３  制御部
１９  スピーカ
２０  バイブレータ
２１  スピーカ
【図１】
2005167651.tif 000003
【図２】
2005167651.tif 000004
【図３】
2005167651.tif 000005
【図４】
2005167651.tif 000006
【図５】
2005167651.tif 000007
【図６】
2005167651.tif 000008
【図７】
2005167651.tif 000009